(57)【要約】【目的】従来の中空管製造設備を利用して安価に製造可能で、十字等の各種接手の緊締強度が高く、しかも曲げ加工容易な温室用中空管を提供すること。【構成】長さ方向全体に亘って直線状の断面八角形の中空直管と、一方端が直線状の軒部で他端が略直線状の屋根部で中間部が円弧状に湾曲した湾曲部である断面八角形の中空湾曲管と、の組み合わせからなる温室用中空管であって、中空湾曲管は、湾曲部の最も外側に位置する湾曲外面と最も内側に位置する湾曲内面が平坦面とされている。また、中空湾曲管と中空直管の少なくとも一部の表面は、梨地加工されて粗面が形成され摩擦係数が増大されている。【選択図】図２
2018038416.tif 000002
【特許請求の範囲】
【請求項１】
長さ方向全体に亘って直線状の断面八角形の中空直管と、一方端が直線状の軒部で他端が略直線状の屋根部で中間部が円弧状に湾曲した湾曲部である断面八角形の中空湾曲管と、の組み合わせからなる温室用中空管であって、
前記中空湾曲管は、前記湾曲部の最も外側に位置する湾曲外面と最も内側に位置する湾曲内面が平坦面とされていることを特徴とする温室用中空管。
【請求項２】
前記中空湾曲管と前記中空直管の少なくとも一部の表面が、粗面加工されて摩擦係数が増大されていることを特徴とする請求項１に記載された温室用中空管。 
【発明の詳細な説明】
【技術分野】
【０００１】
本発明は、特殊な断面形状を有する温室用中空管に関するものである。
【背景技術】
【０００２】
従来、組み立てて温室にするためのパイプ材料としては、断面円形の中空管が多用されている。
この断面円形の中空管を従来周知の十字接手を用いて縦横十字形に接合すると、縦方向の中空管と横方向の中空管とが、その円形表面同士が交叉して直接接触する接合形態とならざるを得ず、その接触面積が極めて小さい点接触となる。
このため、十字接手の鋼材厚が同一の場合、その緊締強度は縦横の部材の点接触の摩擦力に依拠することとなり、接手の緊締強度を向上しようとしても自ずと限界がある。
【先行技術文献】
【特許文献】
【０００３】
【特許文献１】実開平０６−０６７７２７号公報
【発明の概要】
【発明が解決しようとする課題】
【０００４】
本発明は、従来の中空管製造設備を利用して安価、簡単に製造可能で、十字等の各種接手の緊締強度が高い温室用中空管を提供することを目的とするものである。
【０００５】
また、温室用中空管は通常、２本の中空管を棟部で接合したアーチ部材を棟方向に間隔を置いて必要本数、その両下端部を地面に挿入してあるいはコンクリート製基礎に埋めることによって建て込んで、次いでこれら複数のアーチ部材に水平方向の直線部材を各種接手にて連結して、温室が構築されている。
【０００６】
ところで、このアーチ部材は、断面円形の中空直管を両端部を除く中央部分で曲げ加工した２本の中空湾曲管を連結パイプにて連結して製造されている。
そこで、本発明は、中空管の断面形状を多角形としても、曲げ加工を施す湾曲部にて損傷することのない、曲げ加工容易な温室用中空管を提供することをも併せて目的としている。
【課題を解決するための手段】
【０００７】
請求項１に係る発明は、上記の目的を達成するため、長さ方向全体に亘って直線状の断面八角形の中空直管と、一方端が直線状の軒部で他端が略直線状の屋根部で中間部が円弧状に湾曲した湾曲部である断面八角形の中空湾曲管と、の組み合わせからなる温室用中空管であって、前記中空湾曲管は、前記湾曲部の最も外側に位置する湾曲外面と最も内側に位置する湾曲内面が平坦面とされていることを特徴としている。
請求項２に係る発明は、前記中空湾曲管と前記中空直管の少なくとも一部の表面が、粗面加工されて摩擦係数が増大されていることを特徴としている。
【発明の効果】
【０００８】
請求項１に係る発明によれば、断面円形の中空管であった従来の温室用中空管を、断面八角形とする簡単な構成で、従来の中空管製造設備を利用して安価、簡単に製造可能で、十字等の各種接手の緊締強度が高く、曲げ加工が施された湾曲部における損傷の少ない温室用中空管を提供することができる。
請求項２に係る発明によれば、各種接手の緊締強度をさらに高くすることができる。
【図面の簡単な説明】
【０００９】
【図１】本発明に係る温室用中空管の断面図である。
【図２】本発明に係る温室用中空管同士を十字形に接合した接合構造を示す図で、左は正面図、右は側面図である。
【図３】一対の中空湾曲管からなるアーチ部材と棟方向の中空直管との接合構造を示す斜視図である。
【図４】本発明に係る温室用中空管とフィルム受け部材とを十字形に接合した接合構造を示す図で、左は正面図、右は側面図である。
【図５】本発明に係る温室用中空管を組み上げて構築した温室の骨組みの斜視図である。
【図６】温室用六角中空管同士を十字形に接合した接合構造を示す図で、左は正面図、右は側面図である。
【実施例】
【００１０】
図１に本発明に係る八角形の空管の断面形状を示す。
多角形パイプ同士を十字形を初めとする接合をする際に、パイプ同士の接触面積を大きくするためには、それぞれの断面が四角形、六角形、八角形、十二角形、十六角形のものが考えられるが、このうち断面四角形は、最も接触面積が大きく緊締強度を高くすることができる半面、湾曲加工時に損傷しやすく安定した中空湾曲管の製造が困難である。
【００１１】
また、断面六角形のものは十字接合をする際に、図６に示すように、上側の一方の管１と下側の他方の管２は平坦部同士が面接触するものの、一方の管１と十字接手３の断面門形の巻回部３１内面との接触面の数は３、十字接手３の両側に形成された六角中空管に対応する受け部３２の辺縁とそこに挿通された他方の管２との接触部の数は表裏夫々２となる。
これは、一方の管１の下面は十字接手３の受け部３２の上縁３２１より下側に位置して、両者は接触しないためである。
【００１２】
このため、断面六角形の中空管を十字接合をすると、管同士の接触面を大きく確保できる一方、十字接手が中空管を拘束する十字接手自体の中空管拘束力が縮減する。
これに対応するためには、十字接手の鋼材厚みを厚くする必要が生じ、製作コストが嵩むこととなる問題が生じる。
さらに、断面十二角形のものは、断面六角形の中空管に比べ中空管同士の接触面積が想到限定的となり、採用しづらい。
【００１３】
これに対し、断面八角形の中空管同士を十字接手する場合は、図２に示されるように、管同士の接触面を適度に大きく確保できるとともに、一方の管１と十字接手３の断面門形の巻回部３１内面との接触面の数は５、とりわけ中空管1の垂直面が拘束され、また、十字接手３の両側に形成された八角中空管２に対応する受け部３２の辺縁とそこに挿通された中空直管２との接触部の数は表裏夫々４となる。
すなわち、中空管同士１、２の接触面積、十字接手３自体の中空管拘束力がバランスよく確保される。
よって、本発明は断面八角形の中空管を採用することとした。
【００１４】
この温室用中空管は、温室の棟方向部材である、長さ方向全体に亘って直線状の断面八角形の中空直管と、軒部と屋根部が直線状で中間部が円弧状に湾曲した断面八角形の中空湾曲管との組み合わせから構成されている。
【００１５】
そして、一対の中空湾曲管は、互いの湾曲部が凸状態、温室の棟部となる上端部において軸方向に接合され、図５に示されるように、略馬蹄形のアーチ部材４とされるものである。
このアーチ部材４の外面１２と内面１１、すなわち中空湾曲管の湾曲部の最も外側に位置する湾曲外面と最も内側に位置する湾曲内面が平坦面とされ、決して角部が上記した湾曲外面や湾曲内面に存在することはない。
この構成によって、棟方向に間隔を置いて建て込まれる多数のアーチ部材４を構成する中空湾曲管１と、棟方向に配設される中空直管２との接合部は、それぞれの管の平坦部同士が対向して直接接触することとなり、大きな接触面積が確保されるものである。
【００１６】
図２にアーチ部材の構成部材である中空湾曲管１と中空直管２の十字接手３の接手構造を示す。
図２左は、十字接手構造を温室妻面からみた正面図で、同図右は、その側面図である。
【００１７】
この十字接手３は、中空丸管用の従来周知の十字接手を八角中空管用に変更したもので、中空湾曲管１に十字接手３の断面門形の巻回部３１を当て、該十字接手３の両側に形成された八角中空管に対応する受け部３２に中空直管２を入れ、この十字接手の下部に形成された係合片３３に楔部材３４を打ち込むことによって中空直管２を上記中空湾曲管１に緊締するようにした。
【００１８】
これら図面をみて明らかなように、本発明に係るそれぞれの八角形中空管は、互いにその平坦部同士が相対して接触している。
このため、本発明の温室用中空管は、従来の中空丸管同士が接合されたときの点接触の接触面積に比し、格段に広い接触面積を確保できるので、強固な緊締強度を得ている。
【００１９】
図３に示した十字接手３は、図５に示される温室の中空湾曲管１が軸方向に連結パイプ４１にて接合されたアーチ部材４の屋根部、軒部、裾部等の直線部分と中空直管２の交叉部において緊締金具として用いられる。
【００２０】
図３に示す十字接手は、温室の棟部における十字接手３である。
４１は断面八角形の中空湾曲管１の上端部同士をその両端部に挿入して、両者を軸方向に連結して全体としてアーチ状のアーチ部材４とする連結パイプである。
この連結パイプ４１は、八角形の中空湾曲管１が両端部に挿入されるものであるから、当然にその断面形状は全長に亘って中空八角形とされている。
【００２１】
また、この連結パイプ４１の中央部４２は、連結パイプ４１と中空直管２及び連結パイプ４１と十字接手３のそれぞれの接触面積を大きくするために、水平方向に直線形としてある。
これにより、連結パイプ４１の下面と中空直管２の上面のそれぞれの平坦部同士が対向するとともに、連結パイプ４１の上面と十字接手３の内面のそれぞれの平坦部同士が対向し、十字接手３によって緊締される際に三者が直接面接触して、棟部における交叉部の緊締強度も他の十字接手部と同様に強化されている。
【００２２】
一方、温室においては、骨組み表面にビニールフィルム等の合成樹脂製被覆材を被覆することが多く行われている。
図４に、断面八角形のアーチ部材４に、上記合成樹脂製被覆材を被覆するための鳩尾状溝を有するフイルム受け部材５を固定する、フイルム受け部材固定装置６を示す。
【００２３】
このフイルム受け部材固定装置６は、中空湾曲管１を受け入れる断面倒コ字形の巻回部６１と、中空湾曲管１をフイルム受け部材５底面に押し付ける楔６２とから構成されている。
また、上端部にはフイルム受け部材５を受け入れその斜め外壁を係止する係止部を備え、楔６２と協同してフイルム受け部材５と中空湾曲管１を圧接するものである。
【００２４】
フイルム受け部材５の底面は平坦部とされているため、中空湾曲管１の湾曲外面１１の平坦部と直接接触して圧接され強力な緊締力を確保している。
このように、中空湾曲管１と中空直管２は断面八角形の中空管とされ、その上フイルム受け部材５の溝形状が鳩尾状であるため、十字接手３あるいはフイルム受け部材固定装置６の緊締力は、平坦面同士が接触して緊締されることから、広い面積での面接触が得られ、強い緊締力が確保されるものである。
特に、本発明の断面八角形の中空管同士の十字接手は、断面円形の中空管同士のそれの緊締力に比べ、上記したように格段に強化されていることが理解されよう。
【００２５】
また、中空湾曲管１と中空直管２の全表面あるいは接合部位を梨地加工等することにより、表面に粗面を形成して摩擦係数を増大しておけば、さらに断面八角形の中空管同士の十字接手の緊締力はさらに増大される。
【符号の説明】
【００２６】
１      中空湾曲管
１１    管内面
１２    管外面
２      中空直管
３      十字接手
４      アーチ部材
４１    連結パイプ
４２    直線部
５      フイルム受け部材
６      フイルム受け部材固定装置
【図１】
2018038416.tif 000003
【図２】
2018038416.tif 000004
【図３】
2018038416.tif 000005
【図４】
2018038416.tif 000006
【図５】
2018038416.tif 000007
【図６】
2018038416.tif 000008
【手続補正書】
【提出日】平成29年10月16日(2017.10.16)
【手続補正１】
【補正対象書類名】特許請求の範囲
【補正対象項目名】全文
【補正方法】変更
【補正の内容】
【特許請求の範囲】
【請求項１】
中空直管と湾曲部を備えた中空湾曲管を骨組み材に用いた
植物栽培施設用の骨組み材であって、
骨組み材が、中空直管と湾曲部を備えた中空湾曲管を含んでおり、
中空直管と中空湾曲管の断面が八角形である八角形中空管材であることを、
特徴とする植物栽培用施設の骨組み材。
【請求項２】
更に、門形であって、上部側に八角中空管の断面の内５面に接する曲折面を有する巻回部と、下部側面側に八角中空管の断面の内５面に対応する受け部を有する十字接手とを備えていることを特徴とする請求項１記載の植物栽培用施設の骨組み材。
【請求項３】
中空直管は、長さ方向全体に亘って直線状の断面八角形の中空直管であり、
中空湾曲管は、一方端が直線状の温室の軒部で、他端が略直線状の温室の屋根部で、中間部が円弧状に湾曲した湾曲部である断面八角形の中空湾曲管であり、
、温室において中空直管と中空曲管とを交差させた接合部を有しており、
交差する接合部において、中空直管と中空湾曲管が、門形であって、上部側に八角中空管の断面の内５面に接する曲折面を有する巻回部と、下部側面側に八角中空管の断面の内５面に対応する受け部を有する十字接手によって両者が交差接合されるものであって、
交差部において中空直管と中空湾曲管は八角形の平面同士が接触交差となることを特徴とする請求項１又は２記載の植物栽培用施設の骨組み材。
【手続補正２】
【補正対象書類名】明細書
【補正対象項目名】０００７
【補正方法】変更
【補正の内容】
【０００７】
請求項１に係る発明は、中空直管と湾曲部を備えた中空湾曲管を骨組み材に用いた植物栽培施設用の骨組み材であって、骨組み材が、中空直管と湾曲部を備えた中空湾曲管を含んでおり、中空直管と中空湾曲管の断面が八角形である八角形中空管材であることを、特徴とする植物栽培用施設の骨組み材である。
請求項２に係る発明は、更に、門形であって、上部側に八角中空管の断面に内５面に接する曲折面を有する巻回部と、下部側面側に八角中空管の断面の内５面に対応する受け部を有する十字接手とを備えていることを特徴とする請求項１記載の植物栽培用施設の骨組み材。
請求項３に係る発明は、中空直管は、長さ方向全体に亘って直線状の断面八角形の中空直管であり、中空湾曲管は、一方端が直線状の温室の軒部で、他端が略直線状の温室の屋根部で、中間部が円弧状に湾曲した湾曲部である断面八角形の中空湾曲管であり、温室において中空直管と中空湾曲管とを交差させた接合部を有しており、交差する接合部において、中空直管と中空湾曲管が、門形であって、上部側に八角中空管の断面の内５面に接する曲折面を有する巻回部と、下部側面側に八角中空管の断面の内５面に対応する受け部を有する十字接手によって両者が交差接合されるものであって、交差部において中空直管と中空曲管は八角形の平面同士が接触交差となることを特徴とする請求項１又は２記載の植物栽培用施設の骨組み材である。